(57)【要約】【課題】壁面構造において、既存の室内環境を維持した状態で容易に施工可能であり、かつ遮音機能および断熱機能のいずれか一方または双方の機能を備えた室内環境にリフォームすることができるようにする。【解決手段】壁面構造１は、建物の室内に設けられた既存壁Ｗに対して施工されるものであり、既存壁Ｗの室内側の表面に、上下方向に延びる複数の主柱５，５，…が左右方向に間隔をあけた状態で配設され、各主柱５に壁面パネル２が既存壁Ｗの前面を覆うように取り付けられている。そして、壁面パネル２の内部に形成された第１の空間３１には遮音材３３が設けられている一方、壁面パネル２と既存壁Ｗとの間に形成された第２の空間３２には断熱材３４が設けられている。【選択図】図３
2018053680.tif 000002
【特許請求の範囲】
【請求項１】
建物の室内に設けられた既存壁に対して施工される壁面構造であって、
前記既存壁の室内側の表面に、上下方向に延びる複数の主柱が左右方向に間隔をあけた状態で配設され、
前記各主柱に壁面パネルが前記既存壁の前面を覆うように取り付けられ、
前記壁面パネルの内部には第１の空間が形成されている一方、該壁面パネルと前記既存壁との間には第２の空間が形成されており、
少なくとも前記第１および第２の空間のいずれか一方には、少なくとも断熱材および遮音材のいずれか一方が設けられている、壁面構造。
【請求項２】
請求項１に記載の壁面構造において、
前記第１および第２の空間の各々には、断熱材および遮音材のいずれか一方が設けられている、壁面構造。
【請求項３】
請求項１または２に記載の壁面構造において、
前記各主柱の左右両側部には、前記壁面パネルを支持するための複数の支持部が設けられている一方、該壁面パネルの裏面における左右両側縁部には、該各支持部に係合する複数の係合部が設けられており、
前記壁面パネルは、前記各係合部が前記各支持部に係合した状態で前記各主柱に取り付けられている、壁面構造。
【請求項４】
請求項１〜３のいずれか１項に記載の壁面構造において、
前記各主柱の前面には、前記既存壁に向かって凹陥した凹溝部が該各主柱に沿って延びるように形成されており、
前記各主柱の凹溝部には、前記壁面パネルの前面に設置される棚板を取り付けるための棚柱が設けられている、壁面構造。
【請求項５】
請求項１〜４のいずれか１項に記載の壁面構造において、
前記各主柱は前記既存壁に固定されている、壁面構造。
【請求項６】
請求項１〜４のいずれか１項に記載の壁面構造において、
室内の床面には、前記各主柱の下部を支持するための下側固定具が設けられている一方、室内の天井には、該各主柱の上部を支持するための上側固定具が前記下側固定具と垂直方向に対向するように設けられており、
前記各主柱は、前記下側および上側固定具に固定されている、壁面構造。
【請求項７】
請求項１〜６のいずれか１項に記載の壁面構造において、
前記壁面パネルの前面には、磁力により吸着する吸着シートが貼り付けられている、壁面構造。
【発明の詳細な説明】
【技術分野】
【０００１】
本発明は、壁面構造に関し、さらに詳しくは建物の室内に設けられた既存壁に対して施工される壁面構造に関するものである。
【背景技術】
【０００２】
従来、居住空間を間仕切って閉鎖した部屋を画成することが可能なシステム家具として、例えば特許文献１のようなシステム家具が提案されている。
【０００３】
特許文献１には、収納本体の上端部に上枠を連結し、この上枠に沿って摺動する引戸を付設した引戸付収納家具と、上枠に連結自在とした端部収納家具と、引戸付収納家具に連結自在とした収納家具と、を備えたシステム家具が開示されている。
【先行技術文献】
【特許文献】
【０００４】
【特許文献１】特開２０１５−２０８６５８号公報
【発明の概要】
【発明が解決しようとする課題】
【０００５】
ところで、住宅のリフォームにおいて、特に既存の室内空間に対し遮音機能や断熱機能を付与させたい場合には、既存の壁仕上げ材を一旦取り外し、躯体内に遮音材や断熱材を組み込んで再度壁仕上げ材を施工することが一般的であった。
【０００６】
しかしながら、上記特許文献１のシステム家具は、既存の室内空間を複数の部屋に間仕切ることが可能である反面、既存の室内空間に対し遮音機能や断熱機能を付与させるための構造を備えるものではなかった。すなわち、上記特許文献１のような家具では、既存の室内環境を維持した状態で遮音機能および断熱機能のいずれか一方または双方の機能を備えた室内環境にリフォームすることが容易ではなかった。
【０００７】
本発明は斯かる点に鑑みてなされたものであり、その目的は、既存の室内環境を維持した状態で容易に施工可能であり、かつ遮音機能および断熱機能のいずれか一方または双方の機能を備えた室内環境にリフォームすることができるようにすることにある。
【課題を解決するための手段】
【０００８】
上記の目的を達成するために、本発明の第１の形態は壁面構造に係るものであり、この壁面構造は、建物の室内に設けられた既存壁に対して施工される壁面構造であって、既存壁の室内側の表面に、上下方向に延びる複数の主柱が左右方向に間隔をあけた状態で配設され、各主柱に壁面パネルが既存壁の前面を覆うように取り付けられている。壁面パネルの内部には第１の空間が形成されている一方、該壁面パネルと既存壁との間には第２の空間が形成されている。そして、少なくとも第１および第２の空間のいずれか一方には、少なくとも断熱材および遮音材のいずれか一方が設けられていることを特徴とする。
【０００９】
第１の形態では、既存壁の室内側の表面に、上下方向に延びる複数の主柱が左右方向に間隔をあけた状態で配設され、各主柱に壁面パネルが既存壁の前面を覆うように取り付けられている。このため、既存壁を取り外すことを要せず、既存壁に対して容易に施工可能な壁面構造を提供することが可能となる。さらに、壁面パネルの内部には第１の空間が形成されている一方、壁面パネルと既存壁との間には第２の空間が形成されており、少なくとも第１および第２の空間のいずれか一方には少なくとも断熱材および遮音材のいずれか一方が設けられている。このため、既存壁に対し壁面構造を施工したものであれば、遮音機能および断熱機能のいずれか一方または双方の機能を備えた室内環境を容易に得ることができる。このように、第１の形態によれば、既存の室内環境を維持した状態で既存壁に対して容易に施工可能であり、かつ遮音機能および断熱機能のいずれか一方または双方の機能を備えた室内環境にリフォームすることができる。
【００１０】
第２の形態は、第１の形態において、第１および第２の空間の各々には、断熱材および遮音材のいずれか一方が設けられていることを特徴とする。
【００１１】
この第２の形態であっても、第１の形態と同様に、遮音機能および断熱機能のいずれか一方または双方の機能を備えた室内環境を容易に得ることができる。
【００１２】
第３の形態は、第１または第２の形態において、各主柱の左右両側部には、壁面パネルを支持するための複数の支持部が設けられている一方、壁面パネルの裏面における左右両側縁部には、各支持部に係合する複数の係合部が設けられている。そして、壁面パネルは、各係合部が各支持部に係合した状態で各主柱に取り付けられていることを特徴とする。
【００１３】
この第３の形態では、壁面パネルの裏面側で各係合部を各支持部に係合することにより壁面パネルを主柱に取り付けることが可能になっているため、壁面構造の意匠性および施工性を高めることができる。
【００１４】
第４の形態は、第１〜第３の形態のいずれか１つの形態において、各主柱の前面には、既存壁に向かって凹陥した凹溝部が各主柱に沿って延びるように形成されており、各主柱の凹溝部には、壁面パネルの前面に設置される棚板を取り付けるための棚柱が設けられていることを特徴とする。
【００１５】
この第４の形態では、各主柱の凹溝部に設けた棚柱により棚板を壁面パネルの前面に設置することが可能となっているため、棚板の設置を含めて既存の室内環境を容易にリフォームすることができる。
【００１６】
第５の形態は、第１〜第４の形態のいずれか１つの形態において、各主柱は既存壁に固定されていることを特徴とする。
【００１７】
この第５の形態では、各主柱が既存壁に固定されているため、既存壁を、壁面構造を施工するための躯体としてそのまま活用することができる。
【００１８】
第６の形態は、第１〜第４の形態のいずれか１つの形態において、室内の床面には、各主柱の下部を支持するための下側固定具が設けられている一方、室内の天井には、各主柱の上部を支持するための上側固定具が下側固定具と垂直方向に対向するように設けられており、各主柱は、下側および上側固定具に固定されていることを特徴とする。
【００１９】
第６の形態では、各主柱が上側および下側固定具に取り付けられているため、既存柱の位置にかかわらず既存壁に対して壁面構造を設けることが可能となる。すなわち、既存柱の位置が不明な場合や既存柱が老朽化しているような場合であっても、既存壁に対して容易に施工可能な壁面構造を得ることができる。
【００２０】
第７の形態は、第１〜第６の形態のいずれか１つの形態において、壁面パネルの前面には、磁力により吸着する吸着シートが貼り付けられていることを特徴とする。
【００２１】
第７の形態では、壁面パネルの前面には磁力により吸着する吸着シートが貼り付けられているため、住居環境に合わせて吸音パネルや調湿材などの各部材を壁面パネルの前面に取り付けることができる。
【発明の効果】
【００２２】
以上説明したように、本発明によると、既存の室内環境を維持した状態で既存壁に対して容易に施工可能であり、かつ遮音機能および断熱機能のいずれか一方または双方の機能を備えた室内環境にリフォームすることができる。
【図面の簡単な説明】
【００２３】
【図１】図１は、本発明の実施形態１に係る壁面構造の正面図である。
【図２】図２は、図１の壁面構造における内部構造を示す正面図である。
【図３】図３は、図１のIII−III線断面図である。
【図４】図４は、支持部と係合部との係合前における状態を示す斜視図である。
【図５】図５は、支持部と係合部との係合状態を示す斜視図である。
【図６】図６は、図１のＡ部を拡大して示す部分拡大正面図である。
【図７】図７は、図６のVII−VII線断面図である。
【図８】図８は、本発明の実施形態２に係る壁面構造の図３相当図である。
【図９】図９は、本発明の実施形態３に係る下側固定具の構造を示す斜視図である。
【図１０】図１０は、本発明の実施形態３に係る壁面構造を示す図３相当図である。
【図１１】図１１は、その他の実施形態に係る壁面構造を示す図１相当図である。
【発明を実施するための形態】
【００２４】
以下、本発明の実施形態を図面に基づいて詳細に説明する。以下の各実施形態の説明は、本質的に例示に過ぎず、本発明、その適用物或いはその用途を制限することを意図するものではない。
【００２５】
［実施形態１］
図１は、本発明の実施形態１に係る壁面構造１の全体を示し、この壁面構造１は建物の室内に設けられた既存壁Ｗ（図３参照）に対して施工されるものである。ここで、２は壁面構造１の壁面を構成する壁面パネル、３は壁面パネル２，２の左右側面同士の間で上下方向に延びる目地、４は壁面パネル２の前面に配設された棚板である。なお、この実施形態において、既存壁Ｗは、建物の室内に設けられた既存柱Ｐ（図３参照）に予め設置されているものとする。
【００２６】
図２に示すように、壁面構造１は、上下方向に延びる複数（図示例では７本）の主柱５，５，…を備えている。複数の主柱５，５，…は、既存壁Ｗの室内側の表面に、左右方向に所定の間隔をあけた状態で配設されている。各主柱５は、例えば表面処理された鋼板からなり、断面視で略矩形枠状に形成されている（図３参照）。
【００２７】
ここで、主柱５，５同士の間には、左右方向に延びる複数の横桟６，６，…が上下方向に所定の間隔をあけて配設されている。各横桟６は、主柱５，５の上端部、下端部、および上下方向略中央の位置にそれぞれ配置されている。各横桟６は、左右の各端部が主柱５，５における左右の各側部に取り付けられている。また、壁面構造１の左右両側には、上下方向に延びる縦桟７，７が配設されている。各縦桟７は、壁面構造１の左右両側に位置する各主柱５の側部に取り付けられている。
【００２８】
図３に示すように、各主柱５の前面５ａには、既存壁Ｗに向かって凹陥した凹溝部１０が形成されている。この凹溝部１０は、各主柱５に沿うように上下方向に延びている。そして、凹溝部１０は、主柱５における左右方向略中央に位置しかつ既存壁Ｗに向かって凹陥した中央溝部１１と、中央溝部１１の左右両側方において主柱５の前面５ａと中央溝部１１との間で段差状に形成された段差部１２，１２と、を有している。
【００２９】
中央溝部１１には、上下方向に間隔をあけて配置された複数のビスＶ，Ｖ，…が取り付けられている。各ビスＶは、既存壁Ｗおよび既存柱Ｐに、中央溝部１１の底部および主柱５の背面５ｂを貫通した状態で打ち込まれている。これにより、各主柱５が既存壁Ｗおよび既存柱Ｐに固定された状態になっている。
【００３０】
図２に示すように、各主柱５には、壁面パネル２を支持するための複数の支持部１３，１３，…が設けられている。複数の支持部１３，１３，…は、上下方向に所定の間隔をあけて配置されている。また、図３〜図５に示すように、各支持部１３は、所定の厚みを有する円盤状に形成されており、ビスＶにより各主柱５の側部５ｃに締結されている。さらに、各支持部１３の周縁部には、半径方向内側に向かって凹陥した周溝部１４が円周方向に沿って形成されている。
【００３１】
次に、図１に示すように、上記壁面パネル２，２，…は、既存壁Ｗの前面を覆うように配設されている。具体的に、図３に示すように、各壁面パネル２は、矩形枠状の木質材等からなる四方框１５（芯材）の表裏面にそれぞれＭＤＦ等からなる化粧板材１６，１６を一体的に接合したフラッシュパネル構造となっている。そして、壁面パネル２の内部には、四方框１５，１５と化粧板材１６，１６とで囲われた第１の空間３１が形成されている。この第１の空間３１には、例えばグラスウール等からなる遮音材３３が埋設されている。
【００３２】
ここで、図３に示すように、各壁面パネル２の左右側部には、鋼板等からなる略Ｌ字状の補強桟１７，１７がビスＶ，Ｖにより固定されている。また、壁面パネル２の前面には、例えばマグネットシートやシート状の金属薄板等の磁力により吸着する吸着シート１８が貼り付けられている。
【００３３】
図３〜図５に示すように、壁面パネル２裏面の左右両側縁部には、各支持部１３に係合する複数の係合部２０，２０，…が設けられている。各係合部２０は、平板状の取付板部２１と、取付板部２１の平面部に直交する方向（図３の既存壁Ｗに向かう方向）に向かって突出した突出部２２とを有している。取付板部２１は、壁面パネル２の裏面側に位置する化粧板材１６および四方框１５に対しビスＶで固定されている。また、突出部２２は、先端部が略Ｃ字状に開口しており、この先端部が支持部１３の周溝部１４に対して嵌合するように構成されている。このような構成により、各壁面パネル２が左右の主柱５，５に取り付けられている。
【００３４】
そして、図３に示すように、壁面パネル２が主柱５，５に取り付けられた状態において、壁面パネル２と既存壁Ｗとの間には第２の空間３２が形成されている。この第２の空間３２には、例えば硬質ウレタンフォーム等からなる断熱材３４が設けられている。
【００３５】
次に、図３に示すように、各主柱５の凹溝部１０には、棚板４を主柱５に取り付けるための棚柱４０が設けられている。棚柱４０は、主柱５に沿うように上下に延びている。そして、棚柱４０は、断面視略Ｌ字状のアングル部４１と、略板状の棚板取付部４２とを有している。棚板取付部４２は、その側縁部がアングル部４１の短辺部と凹溝部１０の段差部１２との間で挟持された状態となっている。この状態において、アングル部４１および棚板取付部４２が段差部１２にビスＶで固定されている。
【００３６】
図６に示すように、棚板取付部４２には、複数の左右一対の孔部４３，４３，…が上下方向に間隔をあけて設けられている。この左右一対の孔部４３，４３は、壁面パネル２，２同士の間に形成された目地３（図１参照）の位置に配置されている。一方、図７にも示すように、棚板４の側端部には、棚板４を棚柱４０の棚板取付部４２に着脱可能に取り付けるためのブラケット４４がビス（図示せず）等により固定されている。具体的に、ブラケット４４の後端部には上下一対のフック部４５，４５が形成されており、このフック部４５，４５が棚板取付部４２の孔部４３，４３に対して掛止可能に構成されている。このようにブラケット４４のフック部４５，４５が棚板取付部４２の孔部４３，４３に掛止されることにより、棚板４が壁面パネル２の前面に配設されるようになっている。
【００３７】
［実施形態１の作用効果］
以上のように、壁面構造１では、既存壁Ｗの室内側の表面に、上下方向に延びる複数の主柱５，５，…が左右方向に間隔をあけた状態で配設され、各主柱５に壁面パネル２が既存壁Ｗの前面を覆うように取り付けられている。このため、既存壁Ｗを取り外すことを要せず、既存壁Ｗに対して容易に施工可能な壁面構造１を提供することが可能となる。さらに、壁面構造１では、壁面パネル２の内部に形成された第１の空間３１に遮音材３３が設けられている一方、壁面パネル２と既存壁Ｗとの間に形成された第２の空間３２に断熱材３４が設けられている。すなわち、既存壁Ｗに対し壁面構造１を施工したものであれば、遮音機能および断熱機能を兼ね備えた室内環境を得ることができる。このように、壁面構造１によれば、既存の室内環境を維持した状態で既存壁Ｗに対して容易に施工可能であり、かつ遮音機能および断熱機能を兼ね備えた室内環境にリフォームすることができる。
【００３８】
また、壁面パネル２の裏面側で各係合部２０を各支持部１３に係合することにより壁面パネル２を主柱５，５に取り付けることが可能になっているため、壁面構造１の意匠性および施工性を高めることができる。
【００３９】
また、各主柱５の凹溝部１０に設けた棚柱４０により棚板４を壁面パネル２の前面に設置することが可能となっているため、棚板４の設置を含めて既存の室内環境を容易にリフォームすることができる。
【００４０】
また、この実施形態に係る壁面構造１では、各主柱５が既存壁Ｗに固定されている。このため、既存壁Ｗを、壁面構造１を施工するための躯体としてそのまま活用することができる。
【００４１】
また、壁面パネル２の前面には磁力により吸着する吸着シート１８が貼り付けられているため、住居環境に合わせて吸音パネルや調湿材などの各部材を壁面パネル２の前面に取り付けることができる。
【００４２】
［実施形態２］
図８は、本発明の実施形態２を示すものである。この実施形態では、上記実施形態１と比較して、主柱５および棚柱４０の構成が異なっている。なお、この実施形態に係る壁面構造１の他の構成は、上記実施形態に係る壁面構造１の構成と同様である。このため、以下の説明では、図１〜図７と同じ部分について同じ符号を付し、その詳細な説明を省略する。
【００４３】
図８に示すように、この実施形態に係る壁面構造１では、各主柱５が無垢の木材から構成されている。また、各主柱５の前面には、上記実施形態１のような中央溝部１１および段差部１２からなる凹溝部１０に代えて、中央溝部１１のみからなる凹溝部１０が形成されている。さらに、この変形例による棚柱４０は、アングル部４１および棚板取付部４２からなるものに代えて、断面略ハット形状の棚柱部４６からなるものとなっている。この棚柱部４６の前面には、上記実施形態の棚板取付部４２と同様に、複数の左右一対の孔部４３，４３，…（図示省略）が上下方向に間隔をあけて設けられている。このような実施形態であっても、上記実施形態１と同様の作用効果を奏する壁面構造１を得ることができる。
【００４４】
［実施形態３］
図８および図９は、本発明の実施形態３に係る壁面構造１を示す。この実施形態では、上記実施形態１と比較して、主柱５を既存壁Ｗに設置するための具体的構成が異なっている。なお、この実施形態に係る壁面構造１の他の構成は、実施形態１に係る壁面構造１の構成と同様である。このため、以下の説明では、図１〜図７と同じ部分について同じ符号を付し、その詳細な説明を省略する。
【００４５】
図８に示すように、室内の床面には、各主柱５の下部を支持するための下側固定具５０が設けられている。この下側固定具５０は、平板状の基部５１と、基部５１から垂直方向に向かって突出した略矩形枠状の固定部５２とを有している。また、固定部５２の内部には、略矩形状の木材からなる木枠部５３が埋め込まれている（図９参照）。
【００４６】
基部５１は室内の床面に対してビスＶにより固定されている一方、図９に示すように、固定部５２は中央溝部１１の底部と主柱５の背面部との間に挟まれた状態で主柱５の内部に収容されている。そして、中央溝部１１の底部が下側固定具５０の固定部５２および木枠部５３に対してビスＶにより固定されている。このような構成により、各主柱５の下部が室内の床面に配設されるようになっている。
【００４７】
また、室内の天井には、各主柱５の上部を支持するための上側固定具（図示せず）が下側固定具５０と垂直方向に対向するように設けられている。なお、上側固定具の構成および主柱５の上部と上側固定具との取付態様は下側固定具５０と同様であるため、その詳細な説明を省略する。
【００４８】
以上のように、この実施形態に係る壁面構造１では、各主柱５が上側固定具および下側固定具５０に取り付けられているため、既存柱Ｐの位置にかかわらず既存壁Ｗに対して壁面構造１を設けることが可能となる。すなわち、既存柱Ｐの位置が不明な場合や既存柱Ｐが老朽化しているような場合であっても、既存壁Ｗに対して容易に施工可能な壁面構造１を得ることができる。
【００４９】
［その他の実施形態］
上記各実施形態に係る壁面構造１では、壁面パネル２，２，…の前面に棚板４，４，…のみを配設した形態を示したが、棚板４，４，…以外の部材を壁面パネル２，２，…の前面に設けてもよい。例えば、図１０に示すように、壁面パネル２，２，…の前面に箱状の収納ケース６０，６０，…を配設してもよい。なお、このような形態において、各収納ケース６０は、棚柱４０およびブラケット４４を利用して各主柱５に取り付ければよい。このように、壁面構造１では、ユーザーが所望する室内環境に合わせて収納ケース６０のような様々な収納家具を壁面パネル２，２，…の前面に設置することができる。
【００５０】
また、上記各実施形態に係る壁面構造１では、第１の空間３１に遮音材３３を設けかつ第２の空間３２に断熱材３４を設けた形態を示したが、この形態に限られない。例えば、第１の空間３１に断熱材３４を設けかつ第２の空間３２に遮音材３３を設けた形態でもよい。または、第１および第２の空間３１，３２の双方に同種の部材、すなわち遮音材３３または断熱材３４のいずれか一方を設けた形態でもよい。または、第１の空間３１に遮音材３３または断熱材３４を設けかつ第２の空間３２にいずれの部材も設けない形態でもよい。さらに、第２の空間３２に遮音材３３または断熱材３４を設けかつ第１の空間３１にいずれの部材も設けない形態であってもよい。要は、少なくとも第１および第２の空間３１，３２のいずれか一方に少なくとも遮音材３３および断熱材３４のいずれか一方が設けられている壁面構造１であれば、遮音機能および断熱機能のいずれか一方または双方の機能を備えた室内環境にリフォームすることができる。
【００５１】
また、上記各実施形態に係る壁面構造１では、壁面パネル２の前面に磁力により吸着する吸着シート１８を貼り付けた形態を示したが、この形態に限られない。すなわち、壁面パネル２の前面に吸着シート１８が貼り着けられていない形態であってもよい。
【００５２】
以上、本発明についての実施形態を説明したが、本発明は上述の実施形態のみに限定されず、発明の範囲内で種々の変更が可能である。
【産業上の利用可能性】
【００５３】
本発明は、建物の室内に設けられた既存壁Ｗに対し施工される壁面構造１として産業上の利用が可能である。
【符号の説明】
【００５４】
１：壁面構造
２：壁面パネル
３：目地
４：棚板
５：主柱
１０：凹溝部
１３：支持部
１５：四方框
１６：化粧板材
１８：吸着シート
２０：係合部
３１：第１の空間
３２：第２の空間
３３：遮音材
３４：断熱材
４０：棚柱
４１：アングル部
４２：棚板取付部
４３：孔部
４４：ブラケット
４５：フック部
４６：棚柱部
５０：下側固定具
５１：基部
５２：固定部
６０：収納ケース
Ｗ：既存壁
Ｐ：既存柱
【図１】
2018053680.tif 000003
【図２】
2018053680.tif 000004
【図３】
2018053680.tif 000005
【図４】
2018053680.tif 000006
【図５】
2018053680.tif 000007
【図６】
2018053680.tif 000008
【図７】
2018053680.tif 000009
【図８】
2018053680.tif 000010
【図９】
2018053680.tif 000011
【図１０】
2018053680.tif 000012
【図１１】
2018053680.tif 000013